(57)【要約】【課題】実装の追加的なハードウェア等の必要がなく単純なダイバーシティの動作を提供する。【解決手段】第１及び第２の送受信機（１，２）は、アンテナダイバーシティ（７，８）による複数の通信サイクルを介する半二重通信のために提供される。第１の送受信機（１）は、受信機（４）及び送信機（３）と、異なる位置に設けられて異なる偏波を提供する、又は異なるビームパターンを有する複数のアンテナ（７，８）の形式の２つ以上のチャンネル間を選択するためのスイッチング装置（６）とを備える。コントローラ（９）はアンテナの選択が各受信及び送信周期後に変更されるようにスイッチ（６）を制御する。受信機（４）がパケットの少なくとも一部の欠如又はパケット内のデータの破損の結果として生じる受け入れられない受信を示すとき送信機（３）は先に選択されたアンテナを介して先行する送信周期において送信されたパケットを再送信する。【選択図】図１
2008042912.tif 000002
【特許請求の範囲】
【請求項１】
複数の通信チャンネル（７，８）を介して遠隔の第２の送受信機（２）と半二重通信を実行するための第１の送受信機（１）を備えた半二重通信システムにおいて、
上記第１の送受信機（１）は、第１の受信機（４）と、第１の送信機（３）と、一時に上記チャンネル（７，８）のうちの任意の１つを選択するように設けられるスイッチング装置（６）と、コントローラ（９）とを備え、
上記第２の送受信機（２）は第２の受信機（１１）と、第２の送信機（１０）とを備え、
上記コントローラ（９）は、各通信サイクルが少なくとも１つの第１の受信周期と少なくとも１つの第１の送信周期とを含む一連の通信サイクルを実行するように上記第１の受信機（４）及び上記第１の送信機（３）を制御し、各通信サイクルの完了に応答して上記選択されるチャンネル（７，８）を変更するように上記スイッチング装置（６）を制御し、かつ上記第１の送信機（３）に、受け入れられない受信イベントに応答して上記第１の送信機（３）により先に送信されたメッセージの少なくとも一部をその時点で選択されているチャンネル以外のチャンネルを介して再送信させるように設けられ、
上記第２の受信機（１１）は、第２の受信周期の間に、全てのチャンネルを介して同時に受信するように設けられ、
上記第２の送信機（１０）は、上記第２の受信周期と交互である第２の送信周期の間に、全てのチャンネル（７，８）を介して同時に送信するように設けられたことを特徴とするシステム。
【請求項２】
各通信サイクルは、単一の第１の受信周期と、単一の第１の送信周期とを含むことを特徴とする請求項１記載のシステム。
【請求項３】
各通信サイクルは、単一の第１の受信周期と、これに続く単一の第１の送信周期とを含むことを特徴とする請求項２記載のシステム。
【請求項４】
上記受け入れられない受信イベントは、上記第１又は第２の受信機（４，１１）による期待されたメッセージの受信の失敗と、上記第１又は第２の受信機（４，１１）による不完全かつ／又は破損したメッセージの受信及び上記第１の受信機（４）による再送信要求の受信とのうちの少なくとも１つを含むことを特徴とする先行する任意の請求項記載のシステム。
【請求項５】
上記コントローラ（９）はさらに、上記受け入れられない受信イベントに応答して、上記選択されるチャンネルを変更するように上記スイッチング装置（６）を制御するように設けられたことを特徴とする請求項４記載のシステム。
【請求項６】
複数の通信チャンネル（７，８）を介して遠隔の第２の送受信機（２）と半二重通信を実行するための第１の送受信機（１）を備えた半二重通信システムにおいて、
上記第１の送受信機（１）は第１の受信機（４）と、第１の送信機（３）と、一時に上記チャンネル（７，８）のうちの任意の１つを選択するように設けられるスイッチング装置（６）と、コントローラ（９）とを備え、上記第２の送受信機（２）は第２の受信機（１１）と、第２の送信機（１０）とを備え、
上記コントローラ（９）は、第１の受信周期と送信周期とを交互に実行するように上記第１の受信機（４）及び上記第１の送信機（３）を制御し、受け入れられない受信イベントに応答して上記選択されるチャンネルを変更するように上記スイッチング装置（６）を制御し、かつ上記第１の送信機（３）に、上記受け入れられない受信イベントに応答して上記第１の送信機（３）により先に送信されたメッセージの少なくとも一部をその時点で選択されているチャンネル以外のチャンネルを介して再送信させるように設けられ、
上記第２の受信機（１１）は、第２の受信周期の間に、全てのチャンネル（７，８）を介して同時に受信するように設けられ、
上記第２の送信機（１０）は、上記第２の受信周期と交互である第２の送信周期の間に、全てのチャンネル（７，８）を介して同時に送信するように設けられ、
上記受け入れられない受信イベントは、上記第１又は第２の受信機（４，１１）による期待されたメッセージの受信の失敗と、上記第１又は第２の受信機（４，１１）による不完全な、又は破損したメッセージの受信及び上記第１の受信機（４）による再送信要求の受信とのうちの少なくとも１つを含むことを特徴とするシステム。
【請求項７】
上記第２の送信機（１０）は、上記第１又は第２の受信機（４，１１）によるさらなる期待されたメッセージの受信の失敗と、上記第１又は第２の受信機（４，１１）によるさらなる不完全な、又は破損したメッセージの受信及び上記第２の受信機（１１）による再送信要求の受信とのうちの少なくとも１つに応答して、上記第２の送信機（１０）によって先に送信されたさらなるメッセージの少なくとも一部を再送信するように設けられたことを特徴とする先行する任意の請求項記載のシステム。
【請求項８】
上記第１の送信機（３）は、先行する第１の送信周期において送信されたメッセージの少なくとも一部を再送信するように設けられたことを特徴とする先行する任意の請求項記載のシステム。
【請求項９】
上記チャンネルは無線チャンネルであることを特徴とする先行する任意の請求項記載のシステム。
【請求項１０】
上記スイッチング装置（６）は、一時に複数のチャンネル（７，８）のうちの任意の１つを選択するように設けられたことを特徴とする、請求項９記載のシステム。
【請求項１１】
上記アンテナ（７，８）は、異なる位置、異なる偏波及び異なるビームパターンのうちの異なるもの又はそれらの組合せを有することを特徴とする、請求項１０記載のシステム。
【請求項１２】
上記第２の受信機（１１）及び上記第２の送信機（１０）は共通のアンテナ装置（１３，１４）に接続されることを特徴とする請求項９から１１における任意の請求項記載のシステム。
【請求項１３】
上記スイッチング装置（６）及び上記コントローラ（９）は、反復するサイクルにおいて上記チャンネル（７，８）を順次選択するように設けられたことを特徴とする先行する任意の請求項記載のシステム。
【請求項１４】
上記第１及び第２の受信機（４，１１）及び上記第１及び第２の送信機（３，１０）はデータパケットを受信しかつ送信するように設けられたことを特徴とする先行する任意の請求項記載のシステム。
【請求項１５】
上記第１の送信機（３）は、再送信に際して、完全なデータパケットを再送信するように設けられたことを特徴とする請求項１４記載のシステム。
【請求項１６】
上記第２の送受信機（２）は体内埋込み物の一部を含むことを特徴とする先行する任意の請求項記載のシステム。
【発明の詳細な説明】
【技術分野】
【０００１】
本発明は、半二重通信システムに関する。
【背景技術】
【０００２】
通信の品質又は到達範囲（レンジ又はサービスエリア）を向上させるために、通信システムにおいてアンテナダイバーシティを利用することは知られている。ある空間アンテナのダイバーシティシステムでは、２つ以上のアンテナが異なる位置に設けられる。ある偏波アンテナのダイバーシティシステムでは、送受信の異なる偏波を供給する２つ以上のアンテナが設けられる。ビームアンテナのダイバーシティシステムでは、異なるビーム方向及び／又はパターンを有する２つ以上のアンテナが使用される。
【０００３】
このようなシステムにおける意図は、その時点で（受信又は送信用もしくは双方のための）最も高い信号強度を供給しているアンテナを利用することにある。これを達成する１つの方法は、各アンテナからの利用可能な信号強度を測定し、最も高い信号強度を供給するアンテナを選択して使用することである。別の技術は、最も高い信号強度を供給するアンテナを選択しかつそれを次の選択プロセスまで使用できるように、随時測定シーケンスを実行して異なるアンテナを順に選択し、結果的な信号強度を測定する。複数のアンテナと単一の受信機入力との間では、切り換えが行われてもよい。あるいは、各アンテナは個々の受信機に接続されてもよく、切り換えは受信機の出力において実行されてもよい。ハードウェア的には、単一の受信機の配置は安価であるが、複数の受信機の配置は、アンテナからの信号強度が受信信号を中断することなく決定されることを可能にする。
【０００４】
半二重通信システムにおいては、２つ（又はそれ以上）の送受信機が、一度に一方向への信号送信を許容する通信チャンネルによって相互に接続される。ユーザが２名である場合、通信は何れの方向へも可能であるが、同時的な双方向通信はできない。このような半二重システムでは、「可逆」が条件としてあることから、送受信の双方に同じアンテナが使用されてもよい。
【０００５】
半二重通信システムは多くのアプリケーションを有するが、その一例として、医療用埋込みデバイスと外部デバイスとの間の通信の提供がある。医療用埋込みデバイスに使用されてもよいが、他のアプリケーションでも使用される場合のある既知の送受信機デバイスの例は、ザーリンク・ユナイテッド・キングダムから市販されているＺＬ７０１００及びＺＬ７０１０１である。これらのデバイスは、エラーの検出／補正及びフロー制御等の通信の様々な態様を管理するためのメディアアクセスコントローラ（ＭＡＣ）を含む。このような２つのデバイスは、通信セッションを行って「ピンポン」伝送シーケンスを実行するために使用することができ、よって、これらのデバイスのうちの一方はデータパケットを伝送し、次いでその受信機をもう一方のデバイスからのパケットの受信を待機させるように起動する。既定時間が過ぎてもパケットが受信されなければ、又は破損した、もしくは不完全なパケットが受信されれば、上記第１のデバイスはオリジナルパケットを、応答又は正しい応答が受信されなかったと示すとともに再送信する。パケットが正しく受信されると、これが次の伝送で示され、よって次にはもう一方のデバイスが新しいパケットを送ることができる。
【発明の開示】
【発明が解決しようとする課題】
【０００６】
しかしながら、従来のダイバーシティ切り換え制御方法では、このようなデバイスを便利に使用することができない。具体的に言えば、このようなデバイスで任意の一時に通信セッションに関わることのできるものは、２つだけである。従って、ダイバーシティスイッチングが受信機出力において実行されるとすれば、一方の受信機から他方の受信機への変更は、既存のセッションを停止して新しいセッションを開始する必要を伴うことになり、非効率的である上に急激な状態変化への対応を妨害する。逆に言えば、アンテナの切り換えが単一の受信機によって使用されるとすると、その時点で選択されていないアンテナの監視は、その時点で使用されているアンテナから外部への切り換えを必要とすることになり、送信又は受信の途中にあるパケットが妨害される危険性がある。これにより、良好な通信状態においてもデータレートは低減する。また、異なるアンテナから信号強度を読み取ってスイッチングの実行を決定する追加のソフトウェアも必要になる。
【課題を解決するための手段】
【０００７】
本発明の第１の態様によれば、複数の通信チャンネルを介して遠隔の第２の送受信機と半二重通信を実行するための第１の送受信機を備えた半二重通信システムが提供され、当該半二重通信システムにおいて、上記第１の送受信機は第１の受信機と、第１の送信機と、一時に複数のチャンネルのうちの任意の１つを選択するように設けられるスイッチング装置と、コントローラとを備え、上記第２の送受信機は第２の受信機と、第２の送信機とを備え、上記システムは、上記コントローラが、各通信サイクルが少なくとも１つの第１の受信周期と少なくとも１つの第１の送信周期とを含む一連の通信サイクルを実行するように上記第１の受信機及び上記第１の送信機を制御し、各通信サイクルの完了に応答して選択されるチャンネルを変更するようにスイッチング装置を制御し、かつ上記第１の送信機に、受け入れられない受信イベントに応答して上記第１の送信機により先に送信されたメッセージの少なくとも一部をその時点で選択されているチャンネル以外のチャンネルを介して再送信させるように設けられ、上記第２の受信機は、第２の受信周期の間に、全てのチャンネルを介して同時に受信するように設けられ、上記第２の送信機は、上記第２の受信周期と交互である第２の送信周期の間に、全てのチャンネルを介して同時に送信するように設けられたことを特徴とする。
【０００８】
各通信サイクルは、単一の第１の受信周期と、単一の第１の送信周期とを含んでもよい。各通信サイクルは、単一の第１の受信周期と、これに続く単一の第１の送信周期とを含んでもよい。
【０００９】
受け入れられない受信イベントは、第１又は第２の受信機による期待されたメッセージの受信の失敗と、第１又は第２の受信機による不完全かつ／又は破損したメッセージの受信及び第１の受信機による再送信要求の受信とのうちの少なくとも１つを含んでもよい。コントローラはさらに、受け入れられない受信イベントに応答して、選択されるチャンネルを変更するようにスイッチング装置を制御するように設けてもよい。
【００１０】
本発明の第２の態様によれば、複数の通信チャンネルを介して遠隔の第２の送受信機と半二重通信を実行するための第１の送受信機を備えた半二重通信システムが提供され、当該半二重通信システムにおいて、上記第１の送受信機は第１の受信機と、第１の送信機と、一時に複数のチャンネルのうちの任意の１つを選択するように設けられるスイッチング装置と、コントローラとを備え、上記第２の送受信機は第２の受信機と、第２の送信機とを備え、上記システムは、上記コントローラが、交互的な第１の受信及び送信周期を実行するように上記第１の受信機及び上記第１の送信機を制御し、受け入れられない受信イベントに応答して選択されるチャンネルを変更するようにスイッチング装置を制御し、かつ上記第１の送信機に、受け入れられない受信イベントに応答して上記第１の送信機によって先に送信されたメッセージの少なくとも一部をその時点で選択されているチャンネル以外のチャンネルを介して再送信させるように設けられ、上記第２の受信機は、第２の受信周期の間に、全てのチャンネルを介して同時に受信し、上記第２の送信機は、上記第２の受信周期と交互である第２の送信周期の間に、全てのチャンネルを介して同時に送信するように設けられ、上記受け入れられない受信イベントは、上記第１又は第２の受信機による期待されたメッセージの受信の失敗と、上記第１又は第２の受信機による不完全な、又は破損したメッセージの受信及び上記第１の受信機による再送信要求の受信とのうちの少なくとも１つを含むことを特徴とする。
【００１１】
第２の送信機は、第１又は第２の受信機によるさらなる期待されたメッセージの受信の失敗と、第１又は第２の受信機によるさらなる不完全な、又は破損したメッセージの受信及び第２の受信機による再送信要求の受信とのうちの少なくとも１つに応答して、第２の送信機によって先に送信されたさらなるメッセージの少なくとも一部を再送信するように設けてもよい。
【００１２】
第１の送信機は、先行する第１の送信周期において送信されたメッセージの少なくとも一部を再送信するように設けてもよい。
【００１３】
これらのチャンネルは、無線チャンネルであってもよい。スイッチング装置は、一時に複数のアンテナのうちの任意の１つを選択するように設けてもよい。これらのアンテナは、異なる位置、異なる偏波及び異なるビームパターンのうちの異なるもの又はそれらの組合せを有してもよい。第２の受信機及び第２の送信機は、共通のアンテナ装置に接続されてもよい。
【００１４】
スイッチング装置及びコントローラは、反復するサイクルにおいてチャンネルを順次選択するように設けてもよい。
【００１５】
第１及び第２の受信機及び第１及び第２の送信機は、データパケットを受信しかつ送信するように設けてもよい。第１の送信機は、再送信に際して、完全なデータパケットを再送信するように設けてもよい。
【００１６】
第２の送受信機は、体内埋込み物の一部を含んでもよい。
【発明の効果】
【００１７】
このような配置は、その実装のための実質上追加的なハードウェア又はソフトウェアを必要とすることなく、比較的単純なダイバーシティの動作を提供する。良好な伝搬状態の間、このような配置は、最大通信速度で動作することができる。伝搬距離の増加等の悪化する状態では、通信は、その時点で最も優れた伝搬特性を有するチャンネルによってサポートされる最大距離まで可能である。
【発明を実施するための最良の形態】
【００１８】
次に、添付の図面を参照して、本発明をさらに例示的に説明する。
【００１９】
図１に示す半二重通信システムは、第１の送受信機と、第２の送受信機とを備える。このようなシステムは、任意の適切な目的のために使用されてもよく、図１に示す例は、送受信機１を含む外部の装置と送受信機２を含む体内埋込み物との間の半二重通信を目的とするものである。本システムは、自動ハンドシェーキング及びアンテナダイバーシティを使用して半二重無線通信を実行する。送受信機１及び２のぞれぞれは、例えば上述したＺＬ７０１００又はＺＬ７０１０１型の医療用埋込み通信サービス（ＭＲＣＳ）準拠の送受信機デバイスによって部分的に具現化されてもよい。
【００２０】
第１の送受信機１は、無線周波数（ＲＦ）整合装置５を介して電子スイッチング装置６に接続される第１の送信機３と第１の受信機４とを備える。スイッチング装置６は、アンテナダイバーシティを実行するために複数のアンテナ間から選択するように設けられる。図１に示す実施形態では、便宜上、このようなアンテナは７及び８の２つだけが示されているが、このようなアンテナは適宜これより多く装備されてもよい。スイッチング装置６は、一時にこれらのアンテナのうちの１つを選択するように設けられる。これらのアンテナは、異なる位置及び／又は異なる偏波及び／又は異なるビームパターン及び／又は方向性を有することによってダイバーシティを提供する。
【００２１】
送受信機１はさらに、送信機３、受信機４及びスイッチング装置６の動作を制御するコントローラ９を備える。コントローラ９は送信機３及び受信機４がインターレースされた、又は交互的な送信／受信周期を実行することを有効化し、かつ所望される動作モードに従ってスイッチング装置６にアンテナの選択を変更させる。
【００２２】
第２の送受信機２は、ＲＦ整合装置１２を介して共通のアンテナ装置に接続される第２の送信機１０と第２の受信機１１とを備える。アンテナは１つ又は複数が設けられてもよく、図１に示す送受信機２は２つのこのようなアンテナ１３及び１４を有する。別のコントローラ１５は、交互的又はインターレースされた送信／受信周期を実行するように送信機１０及び受信機１１を制御し、このような各周期の間、アンテナ１３，１４は全て使用される。
【００２３】
図１に示すシステムが体内埋込み物との通信に使用される場合、送受信機２はこの体内埋込み物の一部を形成し、適宜他のデバイスに接続される。例えば、埋込み物には身体機能センサが装備されてもよく、上記センサは、監視用に送受信機１に送信されるべくデータを送信機１０に供給してもよい。送受信機１は監視ステーションの一部を形成してもよく、例えば、埋込み物に対してその動作を制御する指令を送信するために使用されてもよい。あるいは、又は追加的に（オプションで）、埋込み物は、その動作が少なくとも部分的に送受信機１によって送られるデータによって制御される１つ又は複数のアクチュエータを含んでもよい。
【００２４】
半二重通信システムは、アンテナダイバーシティとの自動ハンドシェーキングを実行する。コントローラ９及び１５のぞれぞれは、各通信サイクルが少なくとも１つの受信周期及びこれに続く少なくとも１つの送信周期を含むように一連の通信サイクルを実行するように関連の受信機及び送信機を制御する。例えば、このような各通信サイクルは、単一の受信周期及びこれに続く単一の送信周期を含んでもよい。
【００２５】
コントローラ９によって制御される受信機４の受信周期の間、送受信機１は、送受信機２から、例えば１つ又は複数のデータパケットを含むメッセージを受信することを待機する（期待する）。受信機４が送受信機２から完全かつ破損していないメッセージを受信すれば、コントローラ９は送信機３に、正しい受信の肯定応答を提供する場合も提供しない場合もありかつ送受信機２向けの１つ又は複数のデータパケットを含んでもよい返信メッセージを送らせる。
【００２６】
コントローラ１５は、受信機１１の各受信周期が送信機３の対応する送信周期を包含するように送受信機２を同期させる。受信機１１が送受信機１から完全かつ破損していないメッセージを受信すれば、コントローラ１５は送信機１０に、次の送信周期の間に応答を送信させる。この場合もやはり、返信は送受信機１からのメッセージの正しい受信の肯定応答を含んでもよく、かつ受信機４向けに送信するための１つ又は複数のデータパケットを含んでもよい。
【００２７】
受信機５及び１１のいずれかが、その任意の受信周期の間に不完全な、又は破損したメッセージを受信すれば、又は期待された受信周期の間にメッセージを受信しなければ、上記受信機は、対応するコントローラ９又は１５に「受け入れられない受信イベント」が発生したことを信号で知らせる。すると、コントローラは対応する送信機に、受け入れられない受信の信号を送信しかつ典型的には受信が受け入れられなかったメッセージの再送信の要求を含むメッセージをもう一方の送受信機に送らせる。コントローラは上記送信機に、もう一方の送受信機からの先のメッセージの完全な再送信を要求させる場合もあれば、許容可能に、又は正しく受信されなかったメッセージの任意部分の部分的な再送信のみを要求する場合もある。遠隔の受信機は、このようなメッセージを受信すると、先に送信したが正しく受信されなかったメッセージの一部又は全体を再送信する。
【００２８】
アンテナダイバーシティを提供するために、送受信機１は、２つの動作モードのいずれか、又は双方で動作してもよい。第１の動作モードによれば、コントローラ９はスイッチング装置６に、受信機４及び送信機３による各通信サイクルの完了後、選択されるアンテナを自動的に変更させる。具体的には、選択されるアンテナの変更は、送受信機１による各通信サイクルの終了の結果として全自動的に発生する。スイッチング装置６は、利用可能なアンテナを介して反復サイクルで循環する。
【００２９】
アンテナ７及び８の双方が送受信機２との適正な通信を行うと、受信機４及び１１はそれぞれ送信機１０及び３によって送信されるメッセージを正しく受信し、よってメッセージは反復の必要なしに送信される。従って、送受信機１及び２間のデータフローは最大速度で進行し、アンテナ７及び８間の切り換えによる影響はない。
【００３０】
通信システムの動作中は、送受信機１及び２間の伝搬状態が悪化することがある。例えば、受信される信号強度は、送受信機間の分離が拡大することにより、又は方向性の相対的な変化等の他の理由により低下する可能性がある。受信される信号強度は、その低下に伴って、アンテナ７及び８の一方の信号強度が正しい送信又は受信にとって不十分となるポイントに到達する。「不十分な」アンテナが選択されると、受信機４又は１１は、対応するコントローラ９又は１５に受け入れられない受信イベントを示す信号を送信する。上述したように、これは、割り当てられた受信周期内にメッセージが受信されない、メッセージの一部しか受信されない、又はメッセージが破損していて正しく解読できない、ことから結果的に発生する場合がある。例えば、受信機４は、このような受け入れられない受信イベントを経験すると、又は送信機１０から再送信要求を受信するとコントローラ９に信号を送信し、コントローラ９は送信機３に、送受信機１の先の送信周期において送信されたメッセージ又はメッセージの一部を送信させる。しかしながら、送受信機１の先の通信サイクルの終わりで、コントローラ９はスイッチング装置６に異なるアンテナを選択させている。よって、その時点の通信サイクルはこの「十分な」アンテナを介して実行される。
【００３１】
図１の例に示す２つのアンテナダイバーシティ装置の場合、アンテナ７及び８の一方に対応する１つの「通信チャンネル」が不十分な状態のままであれば、双方向通信は継続されるが、実質的には最大データレートの半分で行われる。受信状態が２つの極値間である場合、データレートは最大レートと、最大レートの半分との間になる。
【００３２】
受信状態がさらに悪化すれば、信号強度がどのアンテナによる通信にとっても不十分となるポイントが到来し、通信は止まる。この極限の到達範囲は、より高い信号強度をもたらすアンテナの場合と実質的に同じである。
【００３３】
図２は、アンテナ５及び６間に６ｄＢの信号強度差がある場合に達成され得るデータレートを示す。曲線２０は、より高い信号強度をもたらすアンテナの正規化された到達範囲に対する正規化されたデータレートを示し、曲線２１は、より低い信号強度をもたらすアンテナのデータレートを示す。曲線２２は、図１のシステムの性能を示す。このように、到達範囲のゼロからの増加に伴って、システムは当初最大データレートでの通信を提供する。到達範囲がさらに増大すると、システムは、より高い信号強度のアンテナのレートとより低い信号強度のアンテナのレートとの間のデータレートで通信を提供するが、極限の到達範囲はより高い信号強度の場合と同じである。例えば、埋込みをされた患者が移動又は寝返りを打っていて、マルチパス受信が変化している、又は相対的な偏波が変化している状態では、システムは、例えばより複雑なアンテナダイバーシティシステムと同じ最大動作到達範囲を提供する。データレートは、より高度なシステムほど高くはないかもしれないが、この装置は比較的単純で安価である。
【００３４】
第２の動作モードでは、スイッチング装置６によるアンテナ７、８の選択の変更は、コントローラ９により、上述したような受け入れられない受信イベントが発生する場合にのみ制御される。従って、通信セッションの開始時は、コントローラ９はアンテナ７及び８の一方を任意に選択するようにスイッチング装置６を制御する。次に、選択されるアンテナは、受信機４が受け入れられない受信イベントの発生をコントローラ９に信号を送信するまで送受信機２との通信に使用される。次いでコントローラ９はスイッチング装置６に、送受信機間のさらなる通信のために、本例ではアンテナ７及び８のうちの他方である異なる一方のアンテナを選択させる。新たに選択されるアンテナは、次に、別の受け入れられない受信イベントが発生するまでさらなる通信に使用され、別の受け入れられない受信イベントが発生すると、アンテナの選択が変更される。
【００３５】
受信状態に依存して、この動作モードは、より速いデータレートが通信システムから達成されることを可能にしてもよい。例えば、アンテナの伝搬状態がゆっくりと変わっている場合、データレートは最大可能レートに等しいものであっても、近接したものであってもよい。最大動作到達範囲は、第１のモードの場合と同じであり、既知のタイプのより複雑なアンテナダイバーシティシステムでも同じである。しかしながら、双方の動作モードにおいて、アンテナスイッチングは、送受信機が比較的単純でありかつ既知の装置より安価であり得るように採用される。データレートは、既知のタイプのより高度なシステムほどは高くないかもしれないが、最大到達範囲は同じである場合があり、多くのアプリケーションで、到達範囲全体の受け入れ可能な性能を達成することができる。
【００３６】
本システムは、上述の両モードで同時に動作するように設けてもよい。例えば、各通信サイクルは、複数の受信周期と交互である複数の送信周期を含んでもよい。しかしながら、ある通信サイクルの間に受け入れられない受信イベントが発生すれば、コントローラ９はその通信サイクルの終わりより前にアンテナの選択を変更してもよい。その通信サイクルの終わりで、アンテナの選択は自動的に変更されてもよく、又は次の通信サイクルも同じままであってもよい。
【図面の簡単な説明】
【００３７】
【図１】本発明の一実施形態を構成する半二重通信システムの概略ブロック図である。
【図２】図１の実施形態の性能を正規化されたデータレートと正規化された到達範囲との関係で示すグラフである。
【図１】
2008042912.tif 000003
【図２】
2008042912.tif 000004
【外国語明細書】
2008042912.tif 000005
2008042912.tif 000006
2008042912.tif 000007
2008042912.tif 000008
2008042912.tif 000009
2008042912.tif 000010
2008042912.tif 000011
2008042912.tif 000012
2008042912.tif 000013
2008042912.tif 000014
2008042912.tif 000015
2008042912.tif 000016
2008042912.tif 000017
2008042912.tif 000018
2008042912.tif 000019
2008042912.tif 000020
2008042912.tif 000021
2008042912.tif 000022
2008042912.tif 000023